(57)【特許請求の範囲】
【請求項１】
電力線に接続自在で、前記電力線の交流電圧を直流電圧に変換するＡＣアダプタであって、
本体と、
前記本体に設けられ、前記電力線に接続自在なプラグと、
前記本体に設けられ、直流電圧を出力自在なＤＣケーブルと、
前記プラグ及び前記ＤＣケーブルを接続する回路モジュールとを備え、
前記回路モジュールは、
前記プラグから供給される交流電圧を直流電圧に変換するＡＣ／ＤＣコンバータと、
前記ＡＣ／ＤＣコンバータにより変換された直流電圧を、前記ＤＣケーブルを介して出力し、前記ＤＣケーブルを介して入力される電力線通信の通信信号を、前記ＡＣ／ＤＣコンバータにより変換された直流電圧から分離する信号分離回路と、
前記信号分離回路により分離された通信信号の信号レベルを増幅させる増幅回路と、
前記増幅回路により信号レベルが増幅された通信信号を、前記交流電圧に重畳して前記プラグを介して出力するカプラ回路とを有するＡＣアダプタ。
【請求項２】
請求項１記載のＡＣアダプタであって、
前記回路モジュールは、更に、
前記通信信号の信号レベルを減衰させる減衰回路を有し、
前記カプラ回路は、更に、前記プラグから供給される交流電圧から前記通信信号を分離し、
前記減衰回路は、前記カプラ回路により分離された通信信号の信号レベルを減衰させ、
前記信号分離回路は、更に、前記減衰回路により信号レベルが減衰された通信信号を、前記ＡＣ／ＤＣコンバータにより変換された直流電圧に重畳し、前記通信信号を重畳した直流電圧を、前記ＤＣケーブルを介して出力するＡＣアダプタ。
【請求項３】
請求項１又は２記載のＡＣアダプタと、
前記ＡＣアダプタとＤＣケーブルを介して接続自在な電力線通信装置とを備え、
前記電力線通信装置は、前記ＤＣケーブルからの直流電圧の供給を受け、前記ＤＣケーブルを介して前記通信信号を送受信して電力線通信を行う電力線通信モデムを有する電力線通信システム。
【請求項４】
請求項３記載の電力線通信システムであって、
前記通信信号は、画像データを含み、
前記電力線通信装置は、更に、被写体を撮像して画像データを前記電力線通信モデムに出力する撮像装置を有し、
前記電力線通信モデムは、入力された前記画像データを前記通信信号として、前記ＤＣケーブルを介して前記ＡＣアダプタに出力する電力線通信システム。
【請求項５】
請求項３記載の電力線通信装置システムであって、
前記通信信号は、画像データを含み、
前記電力線通信装置は、更に、画像を表示する画像表示装置を有し、
前記電力線通信モデムは、前記ＤＣケーブルを介して入力された前記通信信号を前記画像表示装置に出力する電力線通信システム。
【請求項６】
電力線に接続自在で、前記電力線の交流電圧を直流電圧に変換するＡＣアダプタであって、
本体と、
前記本体に設けられ、前記電力線に接続自在なプラグと、
前記本体に設けられ、直流電圧を出力自在なＤＣケーブルと、
前記プラグ及び前記ＤＣケーブルを接続する回路モジュールとを備え、
前記回路モジュールは、
前記プラグから供給される交流電圧を直流電圧に変換するＡＣ／ＤＣコンバータと、
前記プラグから供給される交流電圧から電力線通信の通信信号を分離するカプラ回路と、
前記カプラ回路により分離された通信信号の信号レベルを減衰させる減衰回路と、
前記減衰回路により信号レベルが減衰された通信信号を、前記ＡＣ／ＤＣコンバータにより変換された直流電圧に重畳し、前記通信信号を重畳した直流電圧を、前記ＤＣケーブルを介して出力する信号重畳回路とを備えたＡＣアダプタ。
【発明の詳細な説明】
【技術分野】
【０００１】
本発明は、撮像装置や画像表示装置などの電力線通信装置を、コンセントから離れた場所に配置する場合であっても、電力線通信装置が、ケーブルから発生する不要輻射を抑制しながら、電力線通信を行うことが出来る、ＡＣアダプタ及びそれを用いた電力線通信システムに関する。
【背景技術】
【０００２】
近年、小規模オフィスや家庭において、ＬＡＮ（Ｌｏｃａｌ  Ａｒｅａ  Ｎｅｔｗｏｒｋ）を簡単・安価に構築する要望が高まっている。特に、防犯やセキュリティ面から安全・安心を提供出来る遠隔操作で、モニタリングが可能なネットワークカメラや監視用モニターなどの通信機器を、簡単・安価に構築する要望が急速に高まっている。
【０００３】
このようなＬＡＮを構築するには、従来、イーサネット（登録商標）等の通信用の専用線を配線する方法が取られてきた。特に、配線が不要の理由で、無線ＬＡＮの需要が増加している。一方、これら通信機器への電源供給と通信を電力線のみで実現する手段として、各種の電力線通信装置が提案されている（例えば特許文献１参照）。電力線通信装置は、商用交流電圧（例えばＡＣ１００Ｖ、６０Ｈｚ）に、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）を利用した電力線通信の通信信号を重畳して通信を行う。この為、電力線通信装置には、通信機器に電源を供給するコンバータ回路と商用交流電源に電力線信号を重畳するカプラ回路を備えたＡＣアダプタと通信機器に内蔵された電力線通信モデムが必要である。
【０００４】
以下に、従来の電力線通信装置について説明する。図６は、従来の電力線通信装置のハードウェアブロック図である。電力線通信モデム３０が電力線通信の通信信号を受信する場合は、まず、電力線１からＶＶＦケーブルなどのＡＣケーブル２を介して、カプラ回路３と信号重畳分離回路４とを内蔵するＡＣアダプタ５に商用交流電圧が入力される。ＡＣアダプタ５は、入力された商用交流電圧を、直流電圧に変換する。電力線通信の通信信号は、カプラ回路３を介して信号重畳分離回路４で、直流電圧に重畳され、ＤＣケーブル６を介して、電力線通信モデム３０及び通信端末（図示せず）に送られる。
【０００５】
一方、電力線通信モデム３０が電力線通信の通信信号を送信する場合は、電力線通信モデム３０からの通信信号は直流電圧に重畳され、ＤＣケーブル６を介してＡＣアダプタ５に送られる。ＡＣアダプタ５の信号重畳分離回路４で、通信信号は直流電圧から分離される。分離された通信信号は、更に、カプラ回路３を介して商用交流電圧に重畳され、電力線１に出力される。
【特許文献１】特開２０００−１６５３０４号公報
【発明の開示】
【発明が解決しようとする課題】
【０００６】
ところで、ネットワークカメラなどの撮像装置やモニターなどの画像表示装置は、壁や天井に設置される場合が多く、長さが０．５ｍ〜１０ｍかそれ以上の長さのケーブルがよく使われる。特に、撮像装置は、防犯やセキュリティ面より、多様な場所に配置されることが通常であり、撮像装置を、コンセントのから離れた場所に配置出来るように、ケーブルを長くすることが望まれている。
【０００７】
しかしながら、このような撮像装置や画像表示装置に、上述した従来の電力通信装置を適用させた場合、電力線通信モデムをコンセントから離れた場所に配置させる場合では、ＡＣケーブルを容易に長くすることが出来ない不都合があった。即ち、ＡＣケーブルは、多様な電気機器が接続されている電力線と直接接続されているため、これらの電気機器にノイズを発生する電気機器などが含まれていると、ケーブル長を長くした場合に、ノイズの影響を受けて不要輻射が増大する不都合があった。しかも、ＡＣケーブルには常に商用交流電圧が印加されているため、平衡度を制御する処理を行わない限り、商用交流電圧からの不要輻射が発生する不都合があった。
【０００８】
一方、ＤＣケーブルを長くすることで、ＡＣケーブルを長くする場合に比べて、不要輻射を少なくすることが可能となるが、ＤＣケーブルを単に長くしてしまうと、通信信号の信号レベルが減衰する不都合があった。これに対して、信号レベルを予め増幅させることで、信号レベルをある程度確保することは出来るが、その分、不要輻射が増大してしまう不都合があった。
【０００９】
本発明は、上記課題を鑑み、ＤＣケーブルのケーブル長を長くした場合であっても、不要輻射を抑制することが出来る、ＡＣアダプタ及びそれを用いた電力線通信システムを提供することを目的とする。
【課題を解決するための手段】
【００１０】
上記課題を解決するためになされた第１の発明は、電力線（１）に接続自在で、電力線の交流電圧を直流電圧に変換するＡＣアダプタ（５）であって、本体（５０）と、本体に設けられ、電力線に接続自在なプラグ（２３）と、本体に設けられ、直流電圧を出力自在なＤＣケーブル（６）と、プラグ及びＤＣケーブルを接続する回路モジュールとを備え、回路モジュールは、プラグから供給される交流電圧を直流電圧に変換するＡＣ／ＤＣコンバータ（１３）と、ＡＣ／ＤＣコンバータにより変換された直流電圧を、ＤＣケーブルを介して出力し、ＤＣケーブルを介して入力される電力線通信の通信信号を、ＡＣ／ＤＣコンバータにより変換された直流電圧から分離する信号分離回路（４）と、信号分離回路により分離された通信信号の信号レベルを増幅させる増幅回路（１７）と、増幅回路により信号レベルが増幅された通信信号を、交流電圧に重畳してプラグを介して出力するカプラ回路（２２）とを有するものである。
【００１１】
第２の発明は、第１の発明であるＡＣアダプタ（５）であって、回路モジュールは、更に、通信信号の信号レベルを減衰させる減衰回路（１８）を有し、カプラ回路（２２）は、更に、プラグ（２３）から供給される交流電圧から通信信号を分離し、減衰回路（１８）は、カプラ回路により分離された通信信号の信号レベルを減衰させ、信号分離回路（４）は、更に、減衰回路により信号レベルが減衰された通信信号を、ＡＣ／ＤＣコンバータにより変換された直流電圧に重畳し、通信信号を重畳した直流電圧を、ＤＣケーブル（６）を介して出力するものである。
【００１２】
第３の発明は、第１又は第２の発明であるＡＣアダプタ（５）と、ＡＣアダプタ（５）とＤＣケーブル（６）を介して接続自在な電力線通信装置（例えば７）とを備え、電力線通信装置は、ＤＣケーブル（６）からの直流電圧の供給を受け、ＤＣケーブルを介して通信信号を送受信して電力線通信を行う電力線通信モデム（３０）を有するものである。
【００１３】
第４の発明は、第３の発明である電力線通信システム（１００）であって、通信信号は、画像データを含み、電力線通信装置（例えば７）は、更に、被写体を撮像して画像データを電力線通信モデム（３０）に出力する撮像装置（１５）を有し、電力線通信モデムは、入力された画像データを通信信号として、ＤＣケーブル（６）を介してＡＣアダプタ（５）に出力するものである。
【００１４】
第５の発明は、第３の発明である電力線通信システム（１００）であって、通信信号は、画像データを含み、電力線通信装置（例えば７）は、更に、画像を表示する画像表示装置を有し、電力線通信モデム（３０）は、ＤＣケーブル（６）を介して入力された通信信号を画像表示装置に出力するものである。
【００１５】
第６の発明は、電力線（１）に接続自在で、電力線の交流電圧を直流電圧に変換するＡＣアダプタ（５）であって、本体（５０）と、本体に設けられ、電力線に接続自在なプラグ（２３）と、本体に設けられ、直流電圧を出力自在なＤＣケーブル（６）と、プラグ及びＤＣケーブルを接続する回路モジュールとを備え、回路モジュールは、プラグから供給される交流電圧を直流電圧に変換するＡＣ／ＤＣコンバータ（１３）と、プラグから供給される交流電圧から電力線通信の通信信号を分離するカプラ回路（２２）と、カプラ回路により分離された通信信号の信号レベルを減衰させる減衰回路（１８）と、減衰回路により信号レベルが減衰された通信信号を、ＡＣ／ＤＣコンバータにより変換された直流電圧に重畳し、通信信号を重畳した直流電圧を、ＤＣケーブルを介して出力する信号重畳回路（４）とを備えたものである。
【００１６】
なお、括弧内の番号などは、本発明の理解を助けるために、図面における対応する要素を便宜的に示すものである。従って、本記述は図面上の記載に限定拘束されるものではなく、また、この符号の記載により本発明を解釈すべきでない。
【発明の効果】
【００１７】
第１の発明によれば、ＡＣアダプタ側で通信信号の信号レベルを増幅させるので、ＤＣケーブルを介して入力される通信信号を、その信号レベルを低減させた状態で、ＤＣケーブル上を伝送させることが出来る。これにより、ＤＣケーブルのケーブル長を長くした場合であっても、不要輻射を抑制することが出来る。
【００１８】
第２の発明によれば、ＡＣアダプタ側で、電力線から分離された通信信号の信号レベルを減衰させるので、ＤＣケーブルを介して出力する通信信号を、その信号レベルを低減させた状態で、ＤＣケーブル上を伝送させることが出来る。これにより、ＤＣケーブルを介した通信信号の送受信いずれにおいても、不要輻射を抑制することが出来る。
【００１９】
第３の発明によれば、通信信号を、その信号レベルを低減させた状態で、ＤＣケーブル上を伝送させることが出来るので、不要輻射を抑制しながら、電力線通信装置を、ＡＣアダプタから離れた場所に配置させることが出来る。
【００２０】
第４の発明によれば、不要輻射を抑制しながら、撮像装置を、ＡＣアダプタから離れた場所に配置させることが出来る。
【００２１】
第５の発明によれば、不要輻射を抑制しながら、画像表示装置を、ＡＣアダプタから離れた場所に配置させることが出来る。
【００２２】
第６の発明によれば、ＡＣアダプタ側で、電力線から分離された通信信号の信号レベルを減衰させるので、ＤＣケーブルを介して出力する通信信号を、その信号レベルを低減させた状態で、ＤＣケーブル上を伝送させることが出来る。これにより、ＤＣケーブルを介した通信信号の送受信いずれにおいても、不要輻射を抑制することが出来る。
【発明を実施するための最良の形態】
【００２３】
電力線通信システムは、電力線通信装置、及びＡＣアダプタを備えている。電力線通信装置とは、電力線通信を行う通信装置をいう。具体的に説明すると、電力線通信装置は、マルチキャリアなどを用いた通信信号の送信動作及び受信動作の少なくとも一方を行う通信装置であって、商用交流電圧（例えばＡＣ１００Ｖ、６０Ｈｚ）に通信信号を重畳し、あるいは、電力線の交流電力に重畳された通信信号を分離する通信装置である。送信動作及び受信動作のいずれも行う場合は、電力線通信装置は、通信信号の変復調を行う電力線通信モデムを有する。変調方式としては、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）や、ＳＳ（Ｓｐｅｃｔｒｕｍ  Ｓｐｒｅａｄ）がある。
【００２４】
本実施の形態では、電力線通信システムを適用したネットワークカメラについて説明する。ネットワークカメラは、被写体を撮像して画像データをに出力する、撮像装置の一例である。本明細書における「ネットワークカメラ」とは、画像データを含む通信信号を、ＬＡＮ（Ｌｏｃａｌ  Ａｒｅａ  Ｎｅｔｗｏｒｋ）などのネットワークを介して出力自在な撮像装置をいう。以下、本発明の実施の形態について、図面を参照しながら説明する。
【００２５】
（実施の形態１）
図１（ａ）は、本発明に係る実施の形態１の電力線通信システムを適用したネットワークカメラの全体斜視図である。図１（ｂ）は、本発明に係る実施の形態１の電力線通信システムを適用したネットワークカメラの背面図である。
【００２６】
電力線通信システム１００は、電力線通信装置の一例であるネットワークカメラ７、及びＡＣアダプタ５を備えている。ネットワークカメラ７は、図１（ａ）に示すように、筐体７０を有し、筐体７０には、レンズ・ＣＭＯＳセンサ８、及びインジケータ９が設けられている。ネットワークカメラ７には、図１（ｂ）に示すように、ＤＣケーブル６が接続自在な、ＤＣジャック１０が設けられている。ＤＣケーブル６は、直流電圧が伝送可能なケーブルであって、一端にＤＣプラグ１１が設けられている。
【００２７】
ＡＣアダプタ５は、図１（ａ）に示すように、筐体５０を含む本体を有し、筐体５０には、プラグ２３、及びＤＣケーブル６が設けられている。ＡＣアダプタ５は、ダイレクトプラグインタイプのＡＣアダプタであり、プラグ２３で商用コンセント（図示せず）に直接、繋がる。なお、ＤＣケーブル６は、筐体５０に直接接続されている必要はなく、ＤＣケーブル６の他端に、別のＤＣプラグを設け、ＤＣケーブル６と、ＡＣアダプタ５とを別体に構成することも可能である。
【００２８】
ＡＣアダプタ５とネットワークカメラ７はＤＣケーブル６で接続され、ケーブルの先端ＤＣプラグ１１がネットワークカメラ７のＤＣジャック１０に挿入されることより、電力供給と電力線通信の両方が実現出来る。このＤＣプラグ１１はネットワークカメラから脱着可能である。ネットワークカメラ７はレンズ・ＣＭＯＳセンサ８と電力線通信の通信状態を示すインジケータ９を前面に備える。
【００２９】
図２は、本発明に係る実施の形態１の電力線通信システムを適用したネットワークカメラ及びＡＣアダプタのハードウェアブロック図である。
【００３０】
ＡＣアダプタ５は、図２に示す各種の回路で構成された、回路モジュールを有している。具体的には、回路モジュールは、商用交流電圧から直流電圧を生成するラインフィルタ回路１２と、コンバータ回路１３と、電力線通信モデムからの信号を商用交流電圧に重畳し電力線通信モデムからの送信信号を商用交流電圧に重畳する前に増幅する増幅回路（Ａｍｐｌｉｆｉｅｒ２）１７と、商用交流電圧から受信する通信信号を減衰させる減衰回路（Ａｔｔｅｎｕａｔｏｒ）１８と、カプラトランス２２を持つカプラ回路３と、コンバータ回路１３で生成した直流電圧と通信信号を重畳・分離する信号重畳分離回路４とで構成されている。
【００３１】
なお、信号重畳分離回路４は、信号重畳回路及び信号分離回路の一例である。信号重畳分離回路４は、図２の場合、チョークコイル１４とコンデンサ５１で構成しているが、チョークコイル１４を短絡する構成でもよい。また、回路モジュールとしては、特にこれらの回路のみで構成される必要はない。
【００３２】
ＡＣアダプタ５とネットワークカメラ７とは１対（２本）の本数を持つＤＣケーブル６を介して接続される。ネットワークカメラ７はＤＣケーブル６を流れる直流電圧が一種類の電圧であるために１対のケーブルとしたが、出力数に応じてこの本数は変更可能である。ネットワークカメラ７は、ネットワークカメラモジュールと１５と電力線通信モデム３０と信号重畳分離回路４から成り、信号重畳分離回路４はＡＣアダプタ５の信号重畳分離回路４と同じ構成である。ネットワークカメラモジュール１５と電力線通信モデム３０は、ＥＴＨＥＲ＿ＰＨＹ１６のＬＡＮ送受信部同士を接続することで構成されている。
【００３３】
以上のように構成された実施の形態１における、ＡＣアダプタ一体型の電力線通信システムについて、その動作を以下に説明する。
【００３４】
ネットワークカメラモジュール１５からの映像信号はＥＴＨＥＲ＿ＰＨＹ１６を介して電力線通信モデム３０に送られる。電力線通信モデム３０はＥＴＨＥＲ＿ＰＨＹ１６からのイーサネット（登録商標）信号をＰＬＣ＿ＣＰＵ１９とＡＦＥ＿ＩＣ２０で通信信号に変換し、増幅回路（Ａｍｐｌｉｆｉｅｒ１）２１で所定の電圧・電力に増幅もしくは低インピーダンス変換後、信号重畳分離回路４に送られる。信号重畳分離回路４に送られた通信信号は直流電圧に重畳されＤＣケーブル６を介してＡＣアダプタ５の信号重畳分離回路４で直流電圧と分離され、カプラ回路３に重畳される。カプラ回路３に入力された通信信号は増幅回路１７で電力線通信に必要な電力まで増幅され電力線１に送出される。増幅手段はオペアンプやトランジスタでの増幅やカプラトランス２２による昇圧方法などがある。
【００３５】
以上の動作を、図３及び図７を用いて、従来の電力線通信と比較しながら説明する。図３（ａ）は、本発明に係る実施の形態１の電力線通信装置が送信動作を行う際の信号レベルの説明図、図３（ｂ）は、本発明に係る実施の形態１の電力線通信装置が送信動作を行う際の信号レベルの説明図である。図７（ａ）は、従来の電力線通信装置が送信動作を行う際の信号レベルの説明図、図７（ｂ）は、従来の電力線通信装置が送信動作を行う際の信号レベルの説明図である。
【００３６】
従来の電力線通信装置では、ＤＣケーブル６及びＡＣケーブル（商用電源コード）２でのケーブル損失が存在するために増幅回路２１の出力は電力線１に送出する電力よりも高い電圧・電力である必要がある。このためにＤＣケーブル６を通る信号はケーブル損失が大きく、不要輻射ノイズも大きくなる。カプラ回路３から電力線への放出もＡＣケーブル２のケーブル損失が発生し、不要輻射ノイズも大きくなる。
【００３７】
これに対して本発明の電力線送信装置は、増幅回路２１からの出力を抑制し、カプラ回路３で増幅させる。従って、ＤＣケーブル６を通る通信信号を抑制出来るので、ケーブル損失や不要輻射ノイズを低減出来る。またカプラ回路３で増幅された通信信号はＡＣケーブル２を使用せずにプラグ２３で電力線１に直接、接続されるためにケーブル損失が存在せず、よってケーブル長が長くても不要輻射ノイズも抑制出来る。
【００３８】
次に、電力線通信の通信信号の受信について、図２を用いて説明する。
【００３９】
電力線１から受信した通信信号は、ＡＣアダプタ５のカプラ回路３に入力される。カプラ回路３は通信信号の信号レベル（電力）を減衰させ、信号重畳分離回路４に送出する。減衰させる手段としてはアッテネータ（抵抗）やカプラトランス２２での降圧方法などがある。信号重畳分離回路４に送られた通信信号は直流電圧に重畳され、ＤＣケーブル６を介してネットワークカメラ７の信号重畳分離回路４で直流電圧と分離され、ＡＦＥ＿ＩＣ２０及びＰＬＣ＿ＣＰＵで通信信号からイーサネット（登録商標）信号に変換されＥＴＨＥＲ＿ＰＨＹ１６からネットワークカメラモジュール１５のＥＨＴＥＲ＿ＰＨＹ１６に送られネットワークカメラモジュール１５との通信を行う。
【００４０】
以上の動作を図５を用いて、従来の電力線通信と比較しながら説明する。
【００４１】
従来の電力線通信では電力線１から受信した通信信号はＡＣケーブル２でケーブル損失が発生するために、大きな不要輻射ノイズが発生する。カプラ回路３に入力された通信信号の信号レベルは減衰されずにＤＣケーブル６に送出されるためにＤＣケーブル６を通る受信電圧・電力が大きく、ケーブル損失の増大、不要輻射ノイズの増大を招く。ＡＦＥ＿ＩＣ２０に入力される通信信号も通信に必要な電圧・電力以上の過大入力分が大きい。これに対して本発明の電力線受信は、電力線１からの通信信号はプラグ２３でカプラ回路３に直接、入力されるためにケーブル損失が発生せず、不要輻射ノイズも抑制出来る。カプラ回路３は電力線通信モデム３０が受信する過大電圧・電力が小さくなるように減衰回路１８やカプラトランス２２で通信信号の信号レベルを減衰させ、信号重畳分離回路４に送出するためにＤＣケーブル６のケーブル損失を低減でき、よってケーブル長が長くても不要輻射ノイズを抑制することが出来る。
【００４２】
（実施の形態２）
図４は、本発明に係る実施の形態２の電力線通信システムを適用したネットワークカメラ及びＡＣアダプタのハードウェアブロック図である。
【００４３】
図４において、実施の形態１との異なる点はカプラ回路３の減衰回路１８を削除することで構成されている。
【００４４】
以上のように構成された実施の形態２におけるＡＣアダプタ一体型の電力線通信システムについて、以下その動作を説明する。
【００４５】
電力線通信モデム３０から電力線１への送信は、実施の形態１及び図３（ａ）に記載する動作と同じである。電力線１からの電力線通信モデム３０への受信については、通信信号の信号レベルを減衰させずに電力線通信を行う。よってカプラ回路３から電力線１へのケーブル損失低減及び電力線通信モデム３０からＡＣアダプタ５への送信時のケーブル損失を低減でき、ケーブル長が長くても不要輻射ノイズを抑制することが出来る。
【００４６】
（実施の形態３）
図５は、本発明に係る実施の形態３の電力線通信システムを適用したネットワークカメラ及びＡＣアダプタのハードウェアブロック図である。
【００４７】
図５において、実施の形態１との異なる点はカプラ回路３の増幅回路１７を削除することで構成されている。
【００４８】
以上のように構成された実施の形態３における、ＡＣアダプタ一体型の電力線通信システムについて、以下その動作を説明する。
【００４９】
電力線１からの電力線通信モデム３０への受信は、実施の形態１及び図３（ｂ）に記載する動作と同じである。電力線通信モデム３０から電力線１への送信はＡＣアダプタ５で増幅せずに電力線通信モデム３０の増幅回路２１で電力線に必要とされる通信信号を送出する。
【００５０】
以上のように、実施の形態３の電力線通信システムでは、カプラ回路３から電力線１へのケーブル損失低減及びＡＣアダプタ５から電力線通信モデム３０への受信時のケーブル損失を低減でき、ケーブル長が長くても不要輻射ノイズを抑制することが出来る。
【００５１】
上述した実施の形態１ないし３では、電力線通信システムを適用したネットワークカメラについて説明したが、必ずしも撮像装置である必要はない。例えば、画像を表示する画像表示装置に適用することも可能である。ディスプレイやテレビなどの画像表示装置を、コンセントから離れた場所に配置させて、画像データを送受信させる場合であっても、上述した同様の効果を奏することが出来る。
【産業上の利用可能性】
【００５２】
本発明のＡＣアダプタ及び電力線通信システムは、撮像装置や画像表示装置などの電力線通信装置を、コンセントから離れた場所に配置する場合であっても、電力線通信装置が、ケーブルから発生する不要輻射を抑制しながら、電力線通信を行うことが出来る効果を有し、特に、防犯やセキュリティ面より、撮像装置を、コンセントのから離れた場所に配置する場合に有用である。
【図面の簡単な説明】
【００５３】
【図１】（ａ）本発明に係る実施の形態１の電力線通信システムを適用したネットワークカメラの全体斜視図、（ｂ）本発明に係る実施の形態１の電力線通信システムを適用したネットワークカメラの背面図
【図２】本発明に係る実施の形態１の電力線通信システムを適用したネットワークカメラ及びＡＣアダプタのハードウェアブロック図
【図３】（ａ）本発明に係る実施の形態１の電力線通信装置が送信動作を行う際の信号レベルの説明図、（ｂ）本発明に係る実施の形態１の電力線通信装置が送信動作を行う際の信号レベルの説明図
【図４】本発明に係る実施の形態２の電力線通信システムを適用したネットワークカメラ及びＡＣアダプタのハードウェアブロック図
【図５】本発明に係る実施の形態３の電力線通信システムを適用したネットワークカメラ及びＡＣアダプタのハードウェアブロック図
【図６】従来の電力線通信装置のハードウェアブロック図
【図７】（ａ）従来の電力線通信装置が送信動作を行う際の信号レベルの説明図、（ｂ）従来の電力線通信装置が送信動作を行う際の信号レベルの説明図
【符号の説明】
【００５４】
１    電力線
２    ＡＣケーブル
３    カプラ回路
４    信号重畳分離回路
５    ＡＣアダプタ
６    ケーブル
７    ネットワークカメラ
８    レンズ・ＣＭＯＳセンサ
９    インジケータ
１０    ＤＣジャック
１１    ＤＣプラグ
１２    ラインフィルタ回路
１３    コンバータ回路
１４    チョークコイル
１５    コンデンサ
１６    ＥＴＨＥＲ＿ＰＨＹ
１７    増幅回路
１８    減衰回路
１９    ＰＬＣ＿ＣＰＵ
２０    ＡＦＥ＿ＩＣ
２１    増幅回路
２２    カプラトランス
２３    プラグ
３０    電力線通信モデム
【図１】
0004650262.tif 000002
【図２】
0004650262.tif 000003
【図３】
0004650262.tif 000004
【図４】
0004650262.tif 000005
【図５】
0004650262.tif 000006
【図６】
0004650262.tif 000007
【図７】
0004650262.tif 000008